(57)【要約】【課題】配向速度を向上することができる液晶表示装置及びその駆動方法を提案する。【解決手段】液晶表示装置は、配向区間において液晶がスプレイ状態からベンド状態に転移し、正常動作区間において液晶がベンド状態により画像を表示するものであり、ストレージ電極及びデータ電圧が印加される画素電極が形成された第１基板、液晶を挟んで第１基板と対向して共通電極が形成された第２基板を含む液晶表示パネル、配向区間で共通電極にデータ電圧より高い電位の第１配向電圧を印加し、ストレージ電極にデータ電圧より低い電位の第２配向電圧を印加する電源供給部を含み、液晶がスプレイ状態からベンド状態に転移する時間を減少させて配向区間を短縮する。【選択図】図１
2008026899.tif 000002
【特許請求の範囲】
【請求項１】
ストレージ電極及びデータ電圧が印加される画素電極が形成された第１基板と、共通電極が形成された第２基板と、前記第１及び第２基板間に介在する液晶層を含み、配向区間において液晶分子がスプレイ状態からベンド状態に転移し、正常動作区間において前記ベンド状態により画像を表示する液晶表示パネルと、
前記配向区間の間、前記共通電極に前記データ電圧より高い電位の第１配向電圧を印加して前記ストレージ電極に前記データ電圧より低い電位の第２配向電圧を印加する電源供給部と、
を含む液晶表示装置。
【請求項２】
前記電源供給部は、前記正常動作区間の間、前記共通電極及び前記ストレージ電極に前記第１配向電圧より低く、前記第２配向電圧より高い電位の共通電圧を印加することを特徴とする請求項１に記載の液晶表示装置。
【請求項３】
前記データ電圧は、前記第１配向電圧と前記第２配向電圧との間で前記共通電圧を基準としてスウィングすることを特徴とする請求項２に記載の液晶表示装置。
【請求項４】
前記第１配向電圧と前記第２配向電圧は２０Ｖ以上の電位差を有することを特徴とする請求項３に記載の液晶表示装置。
【請求項５】
前記第１配向電圧は１８Ｖ〜２２Ｖの範囲であり、前記第２配向電圧は−３Ｖ〜−７Ｖの範囲であり、前記共通電圧は５Ｖ〜９Ｖの範囲であり、前記データ電圧は０Ｖ〜１６Ｖの範囲でスウィングすることを特徴とする請求項４に記載の液晶表示装置。
【請求項６】
前記電源供給部は、
前記第１配向電圧を発生する第１配向電圧発生部と、
前記第２配向電圧を発生する第２配向電圧発生部と、
前記共通電圧を発生する共通電圧発生部と、
一方の端子が前記第１配向電圧発生部及び前記共通電圧発生部のいずれか一方に選択的に接続され、他方の端子が前記共通電極に接続される第１スイッチング部と、
一方の端子が前記第２配向電圧発生部及び前記共通電圧発生部のいずれか一方に選択的に接続され、前記ストレージ電極に接続される第２スイッチング部と、
を含むことを特徴とする請求項２に記載の液晶表示装置。
【請求項７】
前記第１スイッチング部は、前記配向区間の間、前記第１配向電圧発生部に接続され、前記第２スイッチング部は、前記配向区間の間、前記第２配向電圧発生部に接続されることを特徴とする請求項６に記載の液晶表示装置。
【請求項８】
前記第１及び第２スイッチング部は、前記正常動作区間の間、前記共通電圧発生部に接続されることを特徴とする請求項７に記載の液晶表示装置。
【請求項９】
前記液晶表示パネルは、前記第１基板に形成されたゲートライン、データライン、及び前記ゲートライン、及びデータラインに接続された薄膜トランジスタを含み、
前記電源供給部は、前記薄膜トランジスタの駆動を制御するゲートオン電圧及びゲートオフ電圧を発生するゲート電圧発生部を含むことを特徴とする請求項２に記載の液晶表示装置。
【請求項１０】
前記第１配向電圧は前記ゲートオン電圧で、前記第２配向電圧は前記ゲートオフ電圧であることを特徴とする請求項９に記載の液晶表示装置。
【請求項１１】
前記第１基板は、
前記ゲートライン及び前記ストレージ電極が形成された絶縁基板と、
前記ゲートライン及び前記ストレージ電極と前記データライン間に形成されたゲート絶縁膜と、
前記データラインと前記画素電極間に形成された保護膜と、
を更に含むことを特徴とする請求項９記載の液晶表示装置。
【請求項１２】
ストレージ電極及びデータ電圧が印加される画素電極が形成された第１基板と、共通電極が形成された第２基板と、前記第１及び第２基板間に介在する液晶層とを含み、配向区間において液晶分子がスプレイ状態からベンド状態に転移し、正常動作区間において前記ベンド状態により画像を表示する液晶表示パネルを含む液晶表示装置の駆動方法において、
前記配向区間の間、前記共通電極には前記データ電圧より高い電位の第１配向電圧を印加し、前記ストレージ電極には前記データ電圧より低い電位の第２配向電圧を印加することを特徴とする液晶表示装置の駆動方法。
【請求項１３】
前記正常動作区間の間、前記共通電極及び前記ストレージ電極に前記第１配向電圧より低く、前記第２配向電圧より高い電位の共通電圧を印加することを特徴とする請求項１２に記載の液晶表示装置の駆動方法。
【請求項１４】
前記データ電圧は、前記第１配向電圧と前記第２配向電圧との間で前記共通電圧を基準としてスウィングすることを特徴とする請求項１３に記載の液晶表示装置の駆動方法。
【請求項１５】
前記第１配向電圧と前記第２配向電圧は、２０Ｖ以上の電位差を有することを特徴とする請求項１４に記載の液晶表示装置の駆動方法。
【請求項１６】
前記第１配向電圧は１８Ｖ〜２２Ｖの範囲であり、前記第２配向電圧は−３Ｖ〜−７Ｖの範囲であり、前記共通電圧は５Ｖ〜９Ｖの範囲であり、前記データ電圧は０Ｖ〜１６Ｖの範囲でスウィングすることを特徴とする請求項１５に記載の液晶表示装置の駆動方法。
【請求項１７】
前記第１配向電圧は、前記第１基板に形成された薄膜トランジスタをターンオンさせるゲートオン電圧で、前記第２配向電圧は、前記薄膜トランジスタをターンオフさせるゲートオフ電圧であることを特徴とする請求項１３に記載の液晶表示装置の駆動方法。
【発明の詳細な説明】
【技術分野】
【０００１】
本発明は、液晶表示装置及びその駆動方法に係り、より詳細にはスプレイ状態の液晶がベンド状態に転移する転移時間を短縮できる液晶表示装置及びその駆動方法に関する。
【背景技術】
【０００２】
一般的に、液晶表示装置は、画像を表示する液晶表示パネルを含んでおり、この液晶表示パネルは、画素電極に形成された薄膜トランジスタ基板と、共通電極が形成され液晶を挟んで薄膜トランジスタ基板と結合されるカラーフィルタ基板とを含む。このような液晶表示パネルは、画素電極と共通電極に印加される電圧差によって電界が形成され、この電界に基づいて液晶の配列が変化することで、光の透過率を調節する方式で画像を表示する。
【０００３】
近年、液晶表示装置の視野角特性及び液晶の応答特性を改善するために、ＯＣＢ（Ｏｐｔｉｃａｌ  Ｃｏｍｐｅｎｓａｔｅｄ  Ｂｅｎｄ）モードのものが開発された。このＯＣＢモードの液晶は、自然状態でスプレイ状態を維持する反面、画素電極及び共通電極に印加される電圧によってベンド状態に転移する。ベンド状態の液晶は、印加される電圧の増加によって光透過率が線形的に減少する特性を有するので、このような特性を利用して画像を表示することになる。
【０００４】
しかし、ＯＣＢモードの液晶がスプレイ状態からベンド状態に転移するのに長い時間がかかると、液晶のスプレイ状態の特性によって画像に斑が生じるか、ちらつきが現れる時間が長くなるという問題点が生じる。従って、ＯＣＢモードの液晶は、スプレイ状態からベンド状態に急速に転移することが要求される。
【発明の開示】
【発明が解決しようとする課題】
【０００５】
従って、本発明は、液晶がスプレイ状態からベンド状態に速く転移することができる液晶表示装置を提供する。
【０００６】
また、本発明は、液晶がスプレイ状態からベンド状態に速く転移することができる液晶表示装置の駆動方法を提供する。
【課題を解決するための手段】
【０００７】
本発明の一特徴による液晶表示装置は、配向区間において液晶がスプレイ状態からベンド状態に転移し、正常動作区間において前記液晶が前記ベンド状態により画像を表示する。液晶表示装置は、液晶表示パネル及び電源供給部を含む。液晶表示パネルは、ストレージ電極及びデータ電圧が印加される画素電極が形成された第１基板、液晶を挟んで第１基板と対向して共通電極が形成された第２基板を含む。電源供給部は、配向区間で共通電極にデータ電圧より高い電位の第１配向電圧を印加して、ストレージ電極にデータ電圧より低い電位の第２配向電圧を印加する。好ましく、第１配向電圧と第２配向電圧は、約２０Ｖ以上の電位差を有することが好ましい。電源供給部は、正常動作区間で共通電極及びストレージ電極に第１配向電圧より低く、第２配向電圧より高い電位の共通電圧を印加する。データ電圧は、第１配向電圧と第２配向電圧との間で共通電圧を基準としてスウィングすることが好ましい。
【０００８】
電源供給部は、第１配向電圧を発生する第１配向電圧発生部、第２配向電圧を発生する第２配向電圧発生部、共通電圧を発生する共通電圧発生部、一方の端子が第１配向電圧発生部及び共通電圧発生部のいずれか一方と選択的に接続され他方の端子が共通電極に接続される第１スイッチング部、及び一方の端子が第２配向電圧発生部及び共通電圧発生部のいずれか一方に選択的に接続され他方の端子がストレージ電極に接続される第２スイッチング部を含む。第１スイッチング部は、配向区間で前記第１配向電圧発生部に接続され、第２スイッチング部は、配向区間で第２配向電圧発生部に接続される。第１及び第２スイッチング部は、正常動作区間で共通電圧発生部に接続される。
【０００９】
液晶表示パネルは、第１基板に形成されたゲートライン、データライン、及びゲートライン、及びデータラインに接続された薄膜トランジスタを含み、電源供給部は、薄膜トランジスタの駆動を制御するゲートオン電圧及びゲートオフ電圧を発生するゲート電圧発生部を含む。
【００１０】
一実施例として、前記第１配向電圧は前記ゲートオン電圧が使用され、前記第２配向電圧は前記ゲートオフ電圧が使用されることができる。
【００１１】
本発明の一特徴による液晶表示装置の駆動方法によると、液晶表示装置は、配向区間において液晶がスプレイ状態からベンド状態に転移し、正常動作区間において液晶がベンド状態により画像を表示する液晶表示パネルであって、ストレージ電極及びデータ電圧が印加される画素電極が形成された第１基板、液晶を挟んで第１基板と対向して共通電極が形成された第２基板を含む。この際、配向区間に対応して共通電極にはデータ電圧より高い電位の第１配向電圧を印加して、ストレージ電極にはデータ電圧より低い電位の第２配向電圧を印加する。また、正常動作区間に対応して共通電極及びストレージ電極には、第１配向電圧より低く第２配向電圧より高い電位の共通電圧を印加する。
【００１２】
このような液晶表示装置及びその駆動方法によると、液晶がスプレイ状態からベンド状態に転移する時間を減少させて配向区間を短縮することができる。
【発明を実施するための最良の形態】
【００１３】
以下、添付図面を参照して、本発明の好ましい実施例をより詳細に説明する。
【００１４】
図１は、本発明の一実施例による液晶表示装置の概略的なブロック図で、図２は、図１に図示された液晶表示パネルの第１基板を示す平面図で、図３は、図２のI-I’に沿って切断した液晶表示パネルの断面図で、図４は、図３に図示されたＬＣＤパネルのスプレイ状態を説明する概念図で、図５は、図３に図示されたＬＣＤパネルのベンド状態を説明する概念図である。
【００１５】
図１に示すように、本発明の一実施例による液晶表示装置は、駆動部１００、画像を表示する液晶表示パネル２００、及び液晶表示パネル２００を駆動させるための電源を供給する電源供給部３００を含む。
【００１６】
駆動部１００は、タイミング制御部１１０、データ駆動部１２０、及びゲート駆動部１３０を含む。
【００１７】
タイミング制御部１１０は、グラフィックコントローラ等の外部装置からタイミング制御信号１１０ａ及びデータ信号１１０ｂを受信する。例えば、タイミング制御信号１１０ａは、垂直同期信号Ｖｓｙｎｃ、水平同期信号Ｈｓｙｎｃ、メインクロックＭＣＬＫ、及びデータイネイブル信号ＤＥを含む。垂直同期信号Ｖｓｙｎｃは、１フレームを表示するのに要する時間間隔を特定する信号である。水平同期信号Ｈｓｙｎｃは、１ラインを表示するのに要する時間間隔を特定する信号である。従って、水平同期信号Ｈｓｙｎｃは、１ラインに含まれるピクセルの数に対応するパルスを含む。データイネイブル信号ＤＥは、ピクセルにデータを供給するのに要する時間を特定する信号である。
【００１８】
タイミング制御部１１０は、入力されるタイミング制御信号１１０ａに基づいて、データ駆動部１２０及びゲート駆動部１３０を駆動するための各種制御信号を生成し、この各種制御信号をデータ駆動部１２０及びゲート駆動部１３０に出力する。例えば、タイミング制御部１１０は、データ駆動部１２０を制御するためのデータ制御信号１２０ａ、ゲート駆動部１３０を制御するためのゲート制御信号１３０ａ及び電源供給部３００を制御するための電源制御信号３００ａを出力する。データ制御信号１２０ａは、ロード信号、水平開始信号、及びデータ信号１１０ｂの出力のための極性制御信号を含むように構成できる。ゲート制御信号１３０ａは、ゲートクロック信号ＧＣＬＫ及び垂直開始信号ＳＴＶを含むように構成できる。
【００１９】
データ駆動部１２０は、液晶表示パネル２００の１つの側方（図１において液晶表示パネル２００の上部側）に配置され、タイミング制御部１１０から入力されるデータ制御信号１２０ａの制御によってデータ信号１１０ｂをアナログのデータ電圧に変換して液晶表示パネル２００に出力する。
【００２０】
ゲート駆動部１３０は、液晶表示パネル２００の他の側方（図１において液晶表示パネル２００の左部側）に配置され、タイミング制御部１１０から入力されるゲート制御信号１３０ａの制御によって、電源供給部３００から供給されるゲートオン電圧Ｖｏｎまたはゲートオフ電圧Ｖｏｆｆを液晶表示パネル２００に出力する。
【００２１】
液晶表示パネル２００は、タイミング制御部１１０の制御によって電源供給部３００から供給される電源を利用して画像を表示する。
【００２２】
図３、図４、及び図５に示すように、液晶表示パネル２００は、第１基板２１０、第１基板２１０と対向するように配置された第２基板２２０、及び第１基板２１０と第２基板２２０との間に配置されたＯＣＢモードの液晶２３０を含む。
【００２３】
ＯＣＢモードの液晶２３０は、図４に示すように、第１基板２１０と第２基板２２０に形成された配向膜（図示せず）の配向処理方向によって、特定電圧以下で初期配向状態であるスプレイ状態を維持する。スプレイ状態の液晶層２３０で、液晶分子は第１基板２１０及び第２基板２２０に形成された配向膜の表面で約２°〜約５°のプリチルト角で配列する。液晶分子は、液晶層２３０の中心にいくほど基板に平行となるように配列され、中心領域でプリチルト角が０°になるように配列される。
【００２４】
このようなスプレイ状態を有する液晶２３０は、図５に示すように、特定電圧以上の電圧が印加されると、ベンド状態に転移する。ベンド状態の液晶２３０は、液晶分子が第１基板２１０及び第２基板２２０に形成された配向膜の表面近傍において約２°〜約５°のプリチルト角で配列される。液晶分子は、液晶層２３０の中心に行くほどプリチルト角が増加して、第１基板２１０と第２基板２２０の中心でプリチルト角が９０°になるように配列される。このようなベンド状態の液晶２３０は、電圧の増加によって光透過率が線形的に減少される特性を示すので、このような特性を利用して画像を表示することになる。
【００２５】
従って、ＯＣＢモードの液晶２３０を使用する液晶表示装置は、液晶２３０がスプレイ状態からベンド状態に転移する配向区間と、ベンド状態の液晶２３０を利用して画像を表示する正常動作区間とを有する。
【００２６】
ＯＣＢモードの液晶２３０は、印加される電界が大きいほどスプレイ状態からベンド状態に速く転移する。従って、配向区間で第１基板２１０と第２基板２２０に印加される電圧間の電位差を大きくすることにより、液晶２３０の転移時間を減少させることができる。
【００２７】
図２及び図３に示すように、第１基板２１０は、ゲートラインＧＬ及びゲートラインＧＬと電気絶縁状態で交差するデータラインＤＬを含み、ゲートラインＧＬとデータラインＤＬとによって複数の画素部Ｐが定義される。各画素部Ｐには、ゲートラインＧＬ及びデータラインＤＬと接続された薄膜トランジスタＴＦＴと薄膜トランジスタＴＦＴに接続された液晶キャパシタＣｌｃ及びストレージキャパシタＣｓｔが形成される。
【００２８】
ゲートラインＧＬは絶縁基板２１１上に形成され、画素部Ｐを平面視した際の上部辺及び下部辺を定義する。ゲートラインＧＬが形成された絶縁基板２１１上には、ゲートラインＧＬを覆うようにゲート絶縁膜２１２が形成されている。ゲート絶縁膜２１２は、例えば、シリコン窒化膜（ＳｉＮｘ）またはシリコン酸化膜（ＳｉＯｘ）で形成される。
【００２９】
データラインＤＬはゲート絶縁膜２１２上に形成され、ゲートランＧＬと交差するように形成され、画素部Ｐを平面視した際の左部辺及び右部辺を定義する。
【００３０】
薄膜トランジスタＴＦＴは、ゲートラインＧＬ及びデータラインＤＬに接続され画素部Ｐ内に形成される。薄膜トランジスタＴＦＴは、ゲートラインＧＬを通じて印加されるゲート信号に反応してデータラインＤＬを通じて印加されるデータ電圧を画素電極２１８に印加する。
【００３１】
薄膜トランジスタＴＦＴは、ゲート電極２１３、アクティブ層２１４、ソース電極２１５、及びドレイン電極２１６を含む。
【００３２】
ゲート電極２１３はゲートラインＧＬと連結され、薄膜トランジスタＴＦＴのゲート端子を構成する。
【００３３】
アクティブ層２１４は、少なくともゲート電極２１３を覆うようにゲート絶縁膜２１２上に形成される。アクティブ層２１４は、半導体層２１４ａ及びオーミックコンタクト層２１４ｂを含むように構成できる。例えば、半導体層２１４ａは、非晶質シリコン（以下、ａ−Ｓｉ）からなり、オーミックコンタクト層２３６ｂはｎ型不純物が高濃度でドーピングされた非晶質シリコン（以下、ｎ＋ａ−Ｓｉ）からなる。
【００３４】
ソース電極２１５は、アクティブ層２１４上に形成されデータラインＤＬと接続され、薄膜トランジスタＴＦＴのソース端子を構成する。ドレイン電極２１６は、アクティブ層２１４上にソース電極２１５と離間して形成され、薄膜トランジスタＴＦＴのドレイン端子を構成する。ドレイン電極２１６は、保護膜２１７に形成されたコンタクトホールＣＮＴを通じて画素電極２１８と電気的に接続される。ソース電極２１５とドレイン電極２１６は、アクティブ層２１４上に互いに離間して配置され、薄膜トランジスタＴＦＴのチャンネルを形成する。
【００３５】
データラインＤＬが形成された絶縁基板２１１上には保護膜２１７が形成される。保護膜２１７は、例えば、シリコン窒化膜（ＳｉＮｘ）またはシリコン酸化膜（ＳｉＯｘ）で構成できる。
【００３６】
保護膜２１７上に画素部Ｐのそれぞれに対応して画素電極２１８が形成される。画素電極２１８は、光を透過する透明な導電性物質で構成される。例えば、画素電極２１８は、インジウムジンクオキサイド（ＩＺＯ）又はインジウムティンオキサイド（ＩＴＯ）で構成することができる。画素電極２１８は、保護膜２１７に形成されたコンタクトホールＣＮＴを通じてドレイン電極２１６と電気的に接続される。
【００３７】
一方、第１基板２１０は、ストレージキャパシタＣｓｔの形成のためのストレージ電極２１９を更に含む。ストレージ電極２１９はストレージラインＳＬに接続され、画素部Ｐ内に形成される。ストレージ電極２１９及びストレージラインＳＬは、ゲートラインＧＬ及びゲート電極２１３と同じ層に同じ物質で同時に形成することができる。また、ストレージ電極２１９及びストレージラインＳＬを、データラインＤＬと同じ層に同じ物質で同時に形成することもできる。
【００３８】
ストレージ電極２１９は、ゲート絶縁膜２１２及び保護膜２１７を挟んで画素電極２１８と対向してストレージキャパシタＣｓｔを形成する。薄膜トランジスタＴＦＴを通じて画素電極２１８に印加されたデータ電圧はストレージキャパシタＣｓｔによって１フレームの間維持される。
【００３９】
第２基板２２０は、液晶２３０を挟んで第１基板２１０と対向する。第２基板２２０は、絶縁基板２２１及び絶縁基板２２１上に形成された共通電極２２２を含む。図示されていないが、第２基板２２０は、カラーを具現するためのカラーフィルタ層を更に含むことができる。
【００４０】
共通電極２２２は、光の透過のために透明な導電性物質で構成される。例えば、共通電極２２２は、画素電極２１８と同じインジウムジンクオキサイド（ＩＺＯ）またはインジウムティンオキサイド（ＩＴＯ）で構成される。共通電極２２２は、液晶２３０を挟んで画素電極２１８と対向して液晶キャパシタＣｌｃを形成する。
【００４１】
このような構成を有する液晶表示パネル２００で、共通電極２２２、画素電極２１８、及びストレージ電極２１９に印加される電圧によって液晶２３０の配列状態が変わる。
【００４２】
図１及び図３に示すように、電源供給部３００は、タイミング制御部１１０の制御によって液晶表示パネル２００を駆動させるための電源を出力する。
【００４３】
電源供給部３００は、液晶表示パネル２００が正常に画像を表示する正常動作状態では、共通電極２２２及びストレージ電極２１９に液晶キャパシタＣｌｃ及びストレージキャパシタＣｓｔを形成するために共通電圧Ｖｃｏｍを印加する。
【００４４】
反面、電源供給部３００は、液晶２３０がスプレイ状態からベンド状態に転移するための配向区間では、画素電極２１８に印加されるデータ電圧Ｖｐより高い電位の第１配向電圧Ｖｂ１を共通電極２２２に印加し、データ電圧Ｖｐより低い電位の第２配向電圧Ｖｂ２をストレージ電極２１９に印加する。例えば、第１配向電圧Ｖｂ１と第２配向電圧Ｖｂ２は、液晶２３０の転移のために、約２０Ｖ以上の電位差を有することが好ましい。
【００４５】
このように、液晶２３０の上方に位置する共通電極２２２に画素電圧Ｖｐより高い電圧が印加され、液晶２３０の下方に位置するストレージ電極２１９に画素電圧Ｖｐより低い電圧が印加されると、液晶２３０の両端にかかる電圧間の電位差が増加し、液晶２３０の転移時間が短縮する。
【００４６】
図６は、図１に図示された電源供給部の概略的なブロック図で、図７は、図１に図示された液晶表示装置の駆動状態を示すタイミング図で、図８は、配向区間での液晶表示パネルの等価回路を示す図で、図９は、正常動作区間での液晶表示パネルの等価回路を示す図である。
【００４７】
図３、図６、及び図７に示すように、電源供給部３００は、第１配向電圧発生部３１０、第２配向電圧発生部３２０、共通電圧発生部３３０、第１スイッチング部３４０、及び第２スイッチング部３５０を含むように構成できる。
【００４８】
第１配向電圧発生部３１０は、データ電圧Ｖｐより高い電位の第１配向電圧Ｖｂ１を生成して出力する。例えば、第１配向電圧Ｖｂ１は約１８Ｖ〜約２２Ｖの電圧を有し、好ましくは、約２０Ｖの電圧を有する。
【００４９】
第２配向電圧発生部３２０は、第１配向電圧Ｖｂ１及びデータ電圧Ｖｐより低い電位の第２配向電圧Ｖｂ２を生成して出力する。例えば、第２配向電圧Ｖｂ２は約−３Ｖ〜約−７Ｖの電圧を有し、好ましくは、約−５Ｖの電圧を有する。
【００５０】
共通電圧発生部３３０は、スウィングするデータ電圧Ｖｐの中間に該当する電位の共通電圧Ｖｃｏｍを生成して出力する。例えば、データ電圧Ｖｐは、約０Ｖ〜約１８Ｖでスウィングし、好ましくは最低０Ｖから最高１４Ｖの間でスウィングする。この際、共通電圧Ｖｃｏｍは約５Ｖ〜約９Ｖの電圧を有し、好ましくは、約７Ｖの電圧を有する。
【００５１】
第１スイッチング部３４０は、タイミング制御部１１０から提供される電源制御信号３００ａに応答して第１配向電圧Ｖｂ１及び共通電圧Ｖｃｏｍのうち、いずれか１つを選択して共通電極２２２に印加する。このため、第１スイッチング部３４０の一端は、第１配向電圧発生部３１０及び共通電圧発生部３３０に選択的に接続され、他端は共通電極２２２に接続される。
【００５２】
第２スイッチング部３５０は、タイミング制御部１１０から提供される電源制御信号３００ａに応答して、第２配向電圧Ｖｂ２及び共通電圧Ｖｃｏｍのうち、いずれか１つを選択してストレージ電極２１９に印加する。このため、第２スイッチング部３５０の一端は、第２配向電圧発生部３２０及び共通電圧発生部３３０に選択的に接続され、他端はストレージ電極２１９に接続される。
【００５３】
液晶２３０がスプレイ状態からベンド状態に転移する配向区間では、第１スイッチング部３４０は第１配向電圧発生部３１０に接続され、第２スイッチング部３５０は第２配向電圧発生部３２０に接続されるので、図８に示すような等価回路となる。
【００５４】
従って、配向区間では図７に示すように、共通電極２２２には第１配向電圧発生部３１０からの第１配向電圧Ｖｂ１が印加され、ストレージ電極２１９には第２配向電圧発生部３２０からの第２配向電圧Ｖｂ２が印加される。この際、画素電極２１８に印加されるデータ電圧Ｖｐは、第１配向電圧Ｖｂ１と第２配向電圧Ｖｂ２との間で共通電圧Ｖｃｏｍを基準としてスウィングする。これと異なり、配向区間の間で画素電極２１８に印加されるデータ電圧Ｖｐを、共通電圧Ｖｃｏｍより低い電位の電圧、例えば、０Ｖの電圧を有するものとすることができる。
【００５５】
例えば、共通電極２２２に印加される第１配向電圧Ｖｂ１が約２０Ｖで、画素電極２１８に印加されるデータ電圧Ｖｐが約０Ｖ〜約１４Ｖをスウィングすると、液晶２３０の両端には約６Ｖ〜約２０Ｖの電位差のみが発生する。しかし、ストレージ電極２１９に約−５Ｖ程度の第２配向電圧Ｖｂ２が印加されることで、液晶２３０の両端には最大２５Ｖの電位差が発生することとなる。このように、ストレージ電極２１９に第２配向電圧Ｖｂ２を印加する方法で、液晶２３０の両端にかかる電位差を増加させることにより、液晶２３０の転移速度を向上させることができる。
【００５６】
一方、液晶２３０がベンド状態を維持する正常動作区間では、第１スイッチング部３４０及び第２スイッチング部３５０は、共通電圧発生部３３０に接続されるので、図９に示すような等価回路となる。
【００５７】
従って、正常動作区間では、図７に示すように、共通電極２２２及びストレージ電極２１９には共通電圧発生部３３０から発生される共通電圧Ｖｃｏｍが印加される。この際、画素電極２１８に印加されるデータ電圧Ｖｐは共通電圧Ｖｃｏｍを基準としてスウィングする。
【００５８】
例えば、共通電極２２２及びストレージ電極２１９に印加される共通電圧Ｖｃｏｍは約７Ｖで、画素電極２１８に印加されるデータ電圧Ｖｐは、共通電圧Ｖｃｏｍを基準として約０Ｖ〜約１４Ｖをスウィングする。
【００５９】
画素電極２１８と共通電極２２２は、液晶２３０を挟んで液晶キャパシタＣｌｃを形成し、画素電極２１８とストレージ電極２１９は、ゲート絶縁膜２１２及び保護膜２１７を挟んでストレージキャパシタＣｓｔを形成する。正常動作区間では画素電極２１８に印加されるデータ電圧Ｖｐと共通電極２２２に印加される共通電圧Ｖｃｏｍによって液晶２３０の配列状態を変化させ、画素電極２１８に印加されるデータ電圧Ｖｐとストレージ電極２１９に印加される共通電圧Ｖｃｏｍによって変化した液晶２３０の配列状態を、１フレームの間維持させる方法で正常な画像を表示することができる。
【００６０】
図１及び図６に示すように、電源供給部３００は、薄膜トランジスタＴＦＴの駆動を制御するゲートオン電圧Ｖｏｎ及びゲートオフ電圧Ｖｏｆｆを生成して出力するゲート電圧発生部３６０を更に含むように構成できる。
【００６１】
ゲートオン電圧Ｖｏｎ及びゲートオフ電圧Ｖｏｆｆは、薄膜トランジスタＴＦＴをターンオン及びターンオフさせる電圧であって、タイミング制御部１１０の制御によってゲート駆動部１３０を経てゲートラインＧＬに印加される。例えば、ゲートオン電圧Ｖｏｎは約１８Ｖ〜約２２Ｖの電圧を有し、ゲートオフ電圧Ｖｏｆｆは約−３Ｖ〜約−７Ｖの電圧を有する。
【００６２】
一方、ゲート電圧発生部３６０において発生されるゲートオン電圧Ｖｏｎは、第１配向電圧発生部３１０において発生される第１配向電圧Ｖｂ１に類似する電圧レベルを有し、ゲート電圧発生部３６０において発生されるゲートオフ電圧Ｖｏｆｆは、第２配向電圧発生部３２０において発生される第２配向電圧Ｖｂ２に類似する電圧レベルを有する。
【００６３】
従って、ゲートオン電圧Ｖｏｎを第１配向電圧Ｖｂ１として使用し、ゲートオフ電圧Ｖｏｆｆを第２配向電圧Ｖｂ２として使用すると、第１配向電圧発生部３１０及び第２配向電圧発生部３２０を除去して電源供給部３００の構成を簡素化させることができる。
【産業上の利用可能性】
【００６４】
このような液晶表示装置及びその駆動方法によると、ストレージ電極に共通電圧より低い電位の配向電圧を印加することにより、ＯＣＢモードの液晶がスプレイ状態からベンド状態に転移する際の速度を向上させることができ、配向区間を短縮して、表示品質を向上できる。
【００６５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００６６】
【図１】本発明の一実施例による液晶表示装置の概略的なブロック図である。
【図２】図１に図示された液晶表示パネルの第１基板を示す平面図である。
【図３】図２のI-I’に沿って切断した液晶表示パネルの断面図である。
【図４】図３に図示されたＬＣＤパネルのスプレイ状態を説明する概念図である。
【図５】図３に図示されたＬＣＤパネルのベンド状態を説明する概念図である。
【図６】図１に図示された電源供給部の概略的なブロック図である。
【図７】図１に図示された液晶表示装置の駆動状態を示すタイミング図である。
【図８】配向区間での液晶表示パネルの等価回路を示す図である。
【図９】正常動作区間での液晶表示パネルの等価回路を示す図である。
【符号の説明】
【００６７】
１００    駆動部
２００    液晶表示パネル
２１０    第１基板
２１８    画素電極
２１９    ストレージ電極
２２０    第２基板
２２２    共通電極
２３０    液晶
３００    電源供給部
３１０    第１配向電圧発生部
３２０    第２配向電圧発生部
３３０    共通電圧発生部
３４０    第１スイッチング部
３５０    第２スイッチング部
３６０    ゲート電圧発生部
【図１】
2008026899.tif 000003
【図２】
2008026899.tif 000004
【図３】
2008026899.tif 000005
【図４】
2008026899.tif 000006
【図５】
2008026899.tif 000007
【図６】
2008026899.tif 000008
【図７】
2008026899.tif 000009
【図８】
2008026899.tif 000010
【図９】
2008026899.tif 000011